(57)【要約】【課題】装用者の瞳孔中心に一致する位置で眼鏡レンズの屈折特性を正確に測定できるレンズメータを提供すること。【解決手段】演算制御回路（８０，２１１）は、ハーフ瞳孔間距離（ＬＨＰＤ，ＲＨＰＤ）に基づいて前記眼鏡レンズ（ＬＬ，ＲＬ）の前記瞳孔中心に対応する位置の屈折特性を求めるようになっている。【選択図】  図２４
2005214701.tif 000002
【特許請求の範囲】
【請求項１】
装置本体に設けられた投影光学系及び受光光学系を備える測定光学系と、前記投影光学系から前記投影光学系と測定光学系との間に配設されたレンズ受と、前記レンズ受に当接支持される眼鏡レンズに対して投影され且つ前記眼鏡レンズを透過して前記受光光学系により導かれる測定光束を受光する受光センサと、前記受光センサから出力される測定信号から前記眼鏡レンズの屈折特性を求める演算制御回路を備えるレンズメータにおいて、
前記眼鏡レンズを有するメガネの装用者の鼻の中心から左右の瞳孔中心までのハーフ瞳孔間距離を入力する入力手段を有すると共に、前記演算制御回路は前記ハーフ瞳孔間距離に基づいて前記眼鏡レンズの前記瞳孔中心に対応する位置の屈折特性を求めることを特徴とするレンズメータ。
【請求項２】
請求項１に記載のレンズメータにおいて、前記入力手段は前記装置本体に設けられていることを特徴とするレンズメータ。
【請求項３】
請求項１に記載のレンズメータにおいて、前記入力手段は前記装置本体とは別体に設けられて前記演算制御回路に測定したメガネ装用者の瞳孔間距離を入力可能な外部の瞳孔間距離測定手段であることを特徴とするレンズメータ。
【請求項４】
請求項１に記載のレンズメータにおいて、前記レンズ受は前記測定光学系の測定光軸が中心に配設された筒状レンズ受であり、前記筒状レンズ受に当接支持させられるメガネの鼻当を支持して左右に移動可能な鼻当支持部材が設けられ、前記測定光軸から前記鼻当支持部材の左右方向への移動量を検出する移動量検出手段が設けられていると共に、
前記演算制御回路は、前記移動量検出手段の移動量検出信号に基づく前記鼻当支持部材の移動量が前記ハーフ瞳孔間距離に一致したときに、この一致したことを表示手段に表示することを特徴とするレンズメータ。
【請求項５】
請求項１に記載のレンズメータにおいて、前記レンズ受は前記測定光学系の測定光軸が中心に配設された筒状レンズ受であり、前記筒状レンズ受に当接支持させられるメガネの鼻当を支持して左右に移動可能な鼻当支持部材が設けられ、前記測定光軸から前記鼻当支持部材の左右方向への移動量を検出する移動量検出手段が設けられ、前記鼻当支持部材は駆動手段で左右に駆動可能に設けられていると共に、
前記演算制御回路は、前記ハーフ瞳孔間距離に基づいて前記駆動手段を作動制御して、前記鼻当支持部材を前記測定光軸から前記ハーフ瞳孔間距離だけ移動させて前記眼鏡レンズの屈折特性を測定するようになっていることを特徴とするレンズメータ。
【請求項６】
請求項１に記載のレンズメータにおいて、前記演算制御回路は、累進屈折レンズを測定する際に、前記眼鏡レンズの遠用部の屈折特性を前記ハーフ瞳孔間距離に一致する位置で求めることを特徴とするレンズメータ。
【請求項７】
請求項１に記載のレンズメータにおいて、前記測定光束を広範囲に分布する複数の測定光束にする光束分割手段が設けられていると共に、前記演算制御回路は、前記複数の測定光束に基づいて前記眼鏡レンズの複数箇所の屈折特性を測定して屈折力分布状態を求め、この屈折力分布状態及び前記ハーフ瞳孔間距離に基づいて前記眼鏡レンズの前記瞳孔中心に対応する位置の屈折特性を求めることを特徴とするレンズメータ。
【請求項８】
請求項７に記載のレンズメータにおいて、前記演算制御回路は、累進屈折レンズを測定する際に、前記ハーフ瞳孔間距離に基づいて前記眼鏡レンズの遠用部の屈折特性を求めることを特徴とするレンズメータ。
【発明の詳細な説明】
【技術分野】
【０００１】
この発明は、メガネ（眼鏡）の左右の眼鏡レンズの瞳孔に対応する位置の屈折特性を測定するレンズメータに関するものである。
【背景技術】
【０００２】
一般に、メガネを作るデータを処方する場合、メガネ装用者（眼鏡装用者）の瞳孔と眼鏡レンズの光学中心が合うように処方するのが普通で、メガネの左右の眼鏡レンズの光学中心間距離とメガネ装用者の左右の瞳孔間距離と一致するようにしている。
【０００３】
この際、メガネ装用者の鼻の中心から左右の瞳孔中心までのハーフ瞳孔間距離をそれぞれ測定して、左右のハーフ瞳孔間距離がメガネの左右の眼鏡レンズ間の中心から左右の眼鏡レンズの光学中心までのハーフ光学中心間距離とそれぞれ一致するように処方するようにしている。
【０００４】
この様な処方に基づいて作られたメガネの左右の眼鏡レンズの光学中心間距離は、メガネ装用者（眼鏡装用者）の左右の瞳孔間距離と一致している必要がある。
【０００５】
ところで、このようなメガネの左右の眼鏡レンズの光学中心間距離を測定するレンズメータは知られている（例えば特許文献１参照）。
【特許文献１】特開平８−２９２９２号公報
【発明の開示】
【発明が解決しようとする課題】
【０００６】
しかしながら、実際に作成されたメガネの左右のハーフ瞳孔間距離がメガネ左右のハーフ光学中心間距離と必ずしも正確に一致していないことがある。この場合には、メガネ装用者の瞳孔中心とメガネの眼鏡レンズの光学中心が一致せずに、メガネ装用者はプリズムが生じた状態でメガネを使用していることになる。このようなメガネでは、装用者の瞳孔中心に一致する位置で眼鏡レンズの屈折特性を正確に測定できないものであった。
【０００７】
一方、メガネ装用者に斜位や斜視がある場合、メガネを作る場合にプリズム量を処方することがある。この処方に基づいて作られたメガネの光学中心間距離は上述した瞳孔間距離と一致しなくなる。
【０００８】
このようなメガネの瞳孔間距離を測定した場合、プリズム量がある処方で作られたメガネであるか、ハーフ瞳孔間距離がハーフ光学中心間距離と正確に一致していないためにプリズム量が生じているのか判断できないものであった。
【０００９】
また、プリズム量が処方されている場合でも、そのプリズム量が所望のプリズム量に設定されているかの確認が困難であった。
【００１０】
そこで、この発明は、装用者の瞳孔中心に一致する位置で眼鏡レンズの屈折特性を正確に測定できるレンズメータを提供することを目的とするものである。
【課題を解決するための手段】
【００１１】
この目的を達成するため、請求項１の発明は、装置本体に設けられた投影光学系及び受光光学系を備える測定光学系と、前記投影光学系から前記投影光学系と測定光学系との間に配設されたレンズ受と、前記レンズ受に当接支持される眼鏡レンズに対して投影され且つ前記眼鏡レンズを透過して前記受光光学系により導かれる測定光束を受光する受光センサと、前記受光センサから出力される測定信号から前記眼鏡レンズの屈折特性を求める演算制御回路を備えるレンズメータにおいて、前記眼鏡レンズを有するメガネの装用者の鼻の中心から左右の瞳孔中心までのハーフ瞳孔間距離を入力する入力手段を有すると共に、前記演算制御回路は前記ハーフ瞳孔間距離に基づいて前記眼鏡レンズの前記瞳孔中心に対応する位置の屈折特性を求めることを特徴とする。
【発明の効果】
【００１２】
この構成によれば、装用者の瞳孔中心に一致する位置で眼鏡レンズの屈折特性を正確に測定できる。
【発明を実施するための最良の形態】
【００１３】
以下、この発明の実施の形態１を図面に基づいて説明する。
[構成]
＜装置本体＞
図１は本発明に係わるレンズメータの正面図、図２は図１のレンズメータの右側面図である。
【００１４】
この図１，図２において、１は装置本体（本体ケース）である。この装置本体１は、上部筐体部（第１の光学系収納突部）２と下部筐体部（第２の光学系収納突部）３及びこれらを連設している連設筐体部４から側面形状が図２に示したように略コ字状に形成されている。この上部筐体部２と下部筐体部３との間は、図５に示したメガネ（眼鏡）５のセット空間６とされている。尚、連設筐体部４は、後部側の筐体部４ｂが前壁４ａ側から着脱可能となっている。
【００１５】
尚、メガネ５は、本実施例では、メガネフレームＭＦ、メガネフレームＭＦの左右のレンズ枠ＬＦ，ＲＦに枠入れされた眼鏡レンズＬＬ，ＲＬと、左右のレンズ枠ＬＦ，ＲＦを連設しているブリッジＢと、左右のレンズ枠ＬＦ，ＲＦ等に設けられる鼻当ＮＰと、左右のレンズ枠ＬＦ，ＲＦに設けられたテンプルＬＴ，ＲＴを有する。
【００１６】
また、下部筐体部３は上壁７を有し、この上壁７の左右の部分には開口８Ｌ，８Ｒが図１に示したように形成されている。この下部筐体３内は、左右の中央に配設された仕切壁３ａにより、左右の空間（室）３Ｌ，３Ｒに区画されている。しかも、装置本体１は、左右一対の測定光学系９Ｌ，９Ｒを有する。
【００１７】
上部筐体部２の前面（正面）には、液晶表示器１００が表示装置（表示手段）として設けられていると共に、測定開始スイッチ１０１，モード切替スイッチ１０２，データ入力用のスイッチ１０３、プリントスイッチ１０４等が設けられている。
【００１８】
更に、上部筐体２と下部筐体３との間には前側及び左右に開放するメガネ配設空間１０５が形成されている。
＜測定光学系９Ｌ，９Ｒ＞
（左の測定光学系９Ｌ）
測定光学系９Ｌは、上部筐体部２内に内蔵された投光光学系（照明光学系）１０Ｌと、下部筐体部３に内蔵された受光光学系１１Ｌを有する。
【００１９】
投光光学系１０Ｌは、測定光束投影用の光源であるＬＥＤ１２，１３、ダイクロミラー１４Ｌ、反射ミラー１５及びコリメータレンズ１６を備えている。ＬＥＤ１２は赤外光を発し、ＬＥＤ１３は赤色光（波長６３０ｎｍ）を発する。ダイクロミラー１４ＬはＬＥＤ１２からの赤外光を反射し、ＬＥＤ１３からの赤色光を透過する。コリメータレンズ１６はＬＥＤ１２，１３から発生した発散光束を測定光束としての平行光束に変換する役割を果たす。尚、反射ミラー１５は中央部から左側の半分が用いられる。
【００２０】
また、受光光学系１１Ｌは、開口８Ｌに取り付けられたハルトマンのパターン板１７、上面にスクリーン１８ａが設けられたフィールドレンズ１８、反射ミラー１９，２０，２１、光路合成プリズム２２、結像レンズ２３、ＣＣＤ（受光素子、受光手段）２４を有する。パターン板１７には多数の光透過部（図示せず）がマトリックス状に設けられている。
【００２１】
このパターン板１７の中央部上には、軸状（ピン状）のレンズ受（レンズ受軸、レンズ受ピン）１７ａが基準ピンとして一体に上方に向けて突設されている。このレンズ受１７ａは、上端部が半球状に形成されていると共に、軸線が測定光学系９Ｌの光軸ＯＬと一致するように配設されている。
（右の測定光学系９Ｒ）
測定光学系９Ｒは、上部筐体部２内に内蔵された投光光学系（照明光学系）１０Ｒと、下部筐体部３に内蔵された受光光学系１１Ｒを有する。
【００２２】
投光光学系１０Ｒは、測定光束投影用の光源であるＬＥＤ２５，２６、ダイクロミラー１４Ｒ、反射ミラー１５及びコリメータレンズ２７を備えている。ＬＥ２５は赤外光を発し、ＬＥＤ２６は赤色光（波長６３０ｎｍ）を発する。上述したダイクロミラー１４ＲはＬＥＤ２５からの赤外光を反射し、ＬＥＤ２６からの赤色光を透過する。コリメータレンズ２７はＬＥＤ２５，２６から発生した発散光束を測定光束としての平行光束に変換する役割を果たす。尚、反射ミラー１５は中央部から右側の半分が用いられる。
【００２３】
また、受光光学系１１Ｒは、開口８Ｌに取り付けられたハルトマンのパターン板２８、上面にスクリーン２９ａが設けられたフィールドレンズ２９、反射ミラー３０，３１、光路合成プリズム２２、結像レンズ２３、ＣＣＤ（受光素子、受光手段）２４を有する。パターン板２８には多数の光透過部（図示せず）がマトリックス状に設けられている。
【００２４】
このパターン板２８の中央部上には、軸状（ピン状）のレンズ受（レンズ受軸、レンズ受ピン）２８ａが基準ピンとして一体に上方に向けて突設されている。このレンズ受２８ａは、上端部が半球状に形成されていると共に、軸線が測定光学系９Ｒの光軸ＯＲと一致するように配設されている。
＜フレーム保持機構＞
また、装置本体１には、メガネ５の左右の眼鏡レンズＬＬ，ＲＬをレンズ受１７ａ，２８ａに支持させたときに、このメガネ５のメガネフレームＭＦを保持するフレーム保持機構が設けられている。また、上壁７の前縁部及び後縁部の左右方向中央部分３２，３３には、図９に示したように隔壁３ａに沿って前後方向に延びるスリット３４，３５がそれぞれ形成されている。
【００２５】
また、このフレーム保持機構３２は、左右に延び且つ前側上壁７の後縁部及び前縁部上にそれぞれ配設された一対の板状のフレーム保持板３６，３７をフレーム保持部材（レンズ保持部材、レンズ枠保持部材）として有する。このフレーム保持板３６，３７の対向面３６ａ，３７ａは、図２，図６，図８に示したように下方に向けて僅かに傾斜させられて、傾斜面となっている。
【００２６】
更に、このフレーム保持機構（レンズ枠保持機構）は、下部筐体部３内に配設された一対のリンク板（移動部材、スライド板）３８，３９を有する（図８，図１１，図１２参照）。このリンク板３８，３９は、仕切壁３ａの一側面の上部に沿って前後に向けて配設されている。
【００２７】
このリンク板３８は、図８，図１４に示したように一端部に上方に向けて突設された取付片３８ａと、図８，図１２，図１４に示したように左右に間隔をおいて形成されたスリット３８ｂ，３８ｃと、他端部に下方に向けて突設された係合片３８ｄと、係合片３８ｄに下方に向けて形成された係合切欠３８ｅを有する。そして、取付片３８ａは、スリット３５を介して上壁７の上方に突出すると共に、フレーム保持板３６に取り付けられている。
【００２８】
また、リンク板３９は、長手方向の中間部に上方に向けて突設された取付片３９ａと、一端部及び中間部に形成されたスリット３９ｂ，３９ｃと、他端部に上方に向けて突設された係合片３９ｄと、係合片３９ｄに上方に向けて形成された係合切欠３９ｅを有する。そして、取付片３９ａは、スリット１１７を介して上壁７の上方に突出すると共に、フレーム保持板３７に取り付けられている。
【００２９】
しかも、ガイドネジ４０は、リンク板３８，３９のスリット３８ｂ，３９ｂにそれぞれ挿通された後、先端部が隔壁３ａに螺着されている。また、ガイドネジ４１は、リンク板３８，３９のスリット３８ｃ，３９ｃにそれぞれ挿通された後、先端部が隔壁３ａに螺着されている。このガイドネジ４０，４１は、リンク板３８，３９を長手方向に相対的にスライド変位可能に結合（係合）させている。
【００３０】
更に、フレーム保持機構は、図７，図８，図１１に示したように下部筐体部３の上部及び仕切壁３ａに対応して連設筐体部４の前壁４ａに形成された開口４２と、開口４２の側縁に後方（下部筐体部３内）に向けて突設された支持片４３と、この支持片４３に取り付けられた支持ネジ４４を有する。
【００３１】
この支持ネジ４４は、開口４２側に位置する頭部４４ａと、頭部４４ａに連設された大径軸部４４ｂと、大径軸部４４ｂに連設されたネジ部４４ｃを有する。そして、支持ネジ４４は、ネジ部４４ｃを支持片４３に螺着することにより、支持片４３に取り付けられている。また、ネジ部４４ｃは、支持片４３を貫通して開口４２側とは反対側に突出している。そして、ネジ部４４ｃの突出部には、図１１に示したようにリング状のスペーサ４５が装着されていると共に、ナット４６が螺着されている。このナット４６は、スペーサ４５側に小径軸部４６ａを有すると共に、スペーサ４５を支持片４３に固定している。
【００３２】
また、フレーム保持機構は、大径軸部４４ｂに回転自在に保持された回転板（連結部材）４７と、回転板４７のリンク板３８，３９側の部分に１８０°の間隔をおいて取り付けられた係合ピン４８，４９と、支持片４３側に突設された係合ピン５０を有する。そして、係合ピン４８，４９にはリンク板３８，３９の係合切欠３８ｅ，３９ｅが係合している。しかも、リンク板３８，３９の取付片３８ａ，３９ａの基部間にはコイルスプリング５１が介装されていて、コイルスプリング５１はフレーム保持板３６，３７が互いに接近する方向にリンク板３８，３９をバネ付勢している。
【００３３】
更に、ナット４６の小径筒部４６ａにはギヤ５２がベアリング５３を介して回転自在に保持され、ギヤ５２の側面には係合ピン５０に周方向から係合する係合突部５３が一体に設けられている。このギヤ５２の近傍には、連設筐体部４の前壁４ａに取り付けたパルスモータ等の駆動モータ（駆動手段）５４が配設されている。この駆動モータ５４にはパルスモータを用いることができる。また、この駆動モータ５４に出力軸５４ａにはギヤ５２に噛合するピニオン５５が取り付けられている。しかも、仕切壁３ａには、フレーム保持板３６，３７間が最大に開いたときの、リンク板３８の移動停止位置を検出するリミットスイッチ５６が位置検出手段として取り付けられている。
＜鼻当支持機構＞
また、上壁７の上には、図９に示したように開口８Ｌ，８Ｒ間及びフレーム保持板３６，３７間に位置させて半円柱状の鼻当支持部材５７が配設されている。この鼻当支持部材（フレーム位置決部材）５７は、上下に向けて延びていると共に、平面形状が半円状に形成されている。この鼻当支持部材５７の下端には支持軸５８が突設されている。
【００３４】
更に、上壁７には、図９，図１０に示したように、開口８Ｌ，８Ｒ間に位置させて前後に延びるスリット５９が形成されている。このスリット５９には、鼻当支持部材５７の下端に突設された支持軸５８が挿通されている。更に、上壁７の上下にはスリット５９に沿って延びる支持板６０，６１が配設され、支持軸５８は支持板６０，６１を貫通している。しかも、支持板６０，６１間には支持軸５８に嵌合したスペーサ筒６２が介装され、支持軸５８の下端部には固定ナット６３が螺着されている。この固定ナット６３は、支持板６０，６１及びスペーサ筒６２を鼻当支持部材５７に一体に固定している。
【００３５】
このスペーサ筒６２は、長手方向に移動可能に且つ幅方向には移動しないようにスリット５９内に配設されている。しかも、スペーサ筒６２は、上壁７の板厚寸法よりも僅かに長く形成されていて、支持板６０，６１が上壁７の板面に沿って移動可能に設けられている。尚、支持軸５８と支持板６０，６１は相対回転しないようになっている。
【００３６】
また、支持板６１のバネ係止突部６１ａと仕切壁３ａのバネ係止突部３ｂとの間にはコイルスプリングＳが介装されていて、コイルスプリングＳは支持板６０，６１及び鼻当支持部材５７をフレーム保持板３６側に付勢している。しかも、仕切壁３ａには、支持板６１のフレーム保持板３７側端部６１ａに対応させて、マイクロスイッチ６４が移動検出手段として取り付けられている。このマイクロスイッチ６４は、鼻当支持部材５７がフレーム保持板３７側に移動させられて、支持板６０，６１がフレーム保持板３７側に移動させられたときに、アクチュエータ６４ａが支持板６１の端部６１ａにより押圧されてＯＮすることにより、鼻当支持部材５７の移動操作を検出するようになっている。
＜レンズ押さえ機構＞
また、連設筐体部４の前壁４ａには、図１，図２，図６，図７に示したようにレンズ押さえ機構６５がレンズ押さえ手段として設けられている。このレンズ押さえ機構６５は、フレーム保持板３７の上方に位置させて前壁４ａの左右の側部に回転自在にそれぞれ取り付けられた回転軸６６Ｌ，６６Ｒを有する。この回転軸６６Ｌ，６６Ｒは、前壁４ａから手前側に突出していると共に、互いに平行に且つ前後方向に延びている。
【００３７】
更に、レンズ押さえ機構６５は、回転軸６６Ｌ，６６Ｒの側部にそれぞれ固定されたＬ字状のアーム６７Ｌ，６７Ｒと、アーム６７Ｌの先端部に取り付けられた一対のレンズ押さえ軸６８Ｌ、アーム６７Ｒの先端部に取り付けられた一対のレンズ押さえ軸６８Ｒを有する。
【００３８】
尚、レンズメータ１を正面から見たときに一対のレンズ押さえ軸６８Ｌ及び６８Ｒはそれぞれ一つしか見えないが、レンズメータ１を右側面から見たときに、レンズ押さえ軸６８Ｒは一対見える。このときに、一対のレンズ押さえ軸６８Ｌは一対のレンズ押さえ軸６８Ｒと重なる位置にある。従って、説明の便宜上、一対のレンズ押さえ軸６８Ｌの符号を一対のレンズ押さえ軸６８Ｒの符号の部分に記載して説明する。このレンズ押さえ軸６８Ｌ，６８Ｒは先端部がピン状に形成されている。
【００３９】
また、レンズ押さえ軸６８Ｌ，６８Ｒは、アーム６７Ｌ，６７Ｒが図１，図２の如く起立させられたとき、先端部が図１の如く互いに対向するようになっている。
【００４０】
このレンズ押さえ軸６８Ｌ，６８Ｌ（６８Ｒ，６８Ｒ）は、アーム６７Ｌ（６７Ｒ）が図６の如く水平に倒されたときに、基準ピンであるレンズ受１７ａ（２８ａ）の軸線、即ち光軸ＯＬ（ＯＲ）の両側に位置するようになっている。
【００４１】
また、レンズ押さえ機構６５は、図６，図７に示したように、連設筐体部４内において回転軸６６Ｌ，６６Ｒにそれぞれ固定されたセクタ状の回転板６９Ｌ，６９Ｒと、回転板６９Ｌ，６９Ｒの下縁部に連設された細幅の係合片７０Ｌ，７０Ｒと、回転板６９Ｌ，６９Ｒの下縁部に設けられたバネ係止部７１Ｌ，７１Ｒと、バネ係止部７１Ｌ，７１Ｒの下方に位置させて前壁４ａに突設されたバネ係止部７２Ｌ，７２Ｒと、バネ係止部７１Ｌ，７２Ｌ間に介装された引張りコイルスプリング７３Ｌと、バネ係止部７１Ｒ，７２Ｒ間に介装された引張りコイルスプリング７３Ｒを有する。
【００４２】
更に、レンズ押さえ機構６５は、連設筐体部４内において前壁４ａの上部に取り付けられたパルスモータ等の駆動モータ７４を有する。この駆動モータ７４は、出力軸７４ａが上下方向に向けられていると共に、出力軸７４ａが連設筐体部４の左右方向の中央部に配設されている。そして、出力軸７４ａにはピニオン７５が取り付けられている。また、前壁４ａには駆動モータ７４の下方に位置させてＬ字状のブラケット７６が取り付けられている。このブラケット７６には前壁４ａに沿って上下に延びる送りネジ７７の上端部が回転自在に且つ上下移動不能に保持されている。尚、図示は省略したが、ブラケット７６に筒状の軸受を上下に向けて固定し、この軸受に送りネジ７７の上端部を回転自在に且つ上下移動不能に保持する。また、軸受は上下に間隔をおいて複数設けても良い。更に、送りネジ７７の上下端部を軸受で前壁４ａに回転自在に保持しても良い。
【００４３】
この送りネジ７７の上端部にはピニオン７５に噛合するギヤ７８が取り付けられている。この送りネジ７７は連設筐体部４の左右方向の中央部に配設され、この送りネジ７７の下部のネジ部７７ａには昇降部材７９が螺着されている。この昇降部材７９の下端部には図７中左右に延びるフランジ７９ａが前壁４ａ向けて突設されている。このフランジ７９ａは、前壁４ａに当接させられていて、昇降部材７９の昇降により前壁４ａに対して上下に摺接移動する様になっている。そして、このフランジ７９ａ上には係合片７０Ｌ，７０Ｒの先端部が引張りコイルスプリング７３Ｌ，７３Ｒのバネ力によりそれぞれ当接させられている。
＜メガネサポート機構＞
この下部筐体３は上述したように上壁７を有する。この下部筐体３の両側部には図１６に示したようなメガネサポート機構１１０が設けられている。
【００４４】
このメガネサポート機構１１０は、上壁７の左右の両側部上に前後に向けて水平にそれぞれ配設されたフレームサポート１１１と、連設筐体部４の前壁４ａの両側部前面にそれぞれ取り付けられたＬ字状のブラケット１１２と、上壁７の両側部の連設筐体部４側の部分及びブラケット１１２をそれぞれ上下に貫通する支持軸１１３を有する。
【００４５】
そして、フレームサポート１１１は、正面形状が略Ｌ字状に形成されていると共に、前後に延びるスリット１１１ａが図２，図９に示したように角部に形成されている。また、支持軸１１３は角柱状に形成されていて、支持軸１３の上端部にフレームサポート１１１の端部が取り付けられている。これにより、支持軸１１３及びフレームサポート１１１は支持軸１１３の軸線回りに回転しないようになっている。
【００４６】
尚、支持軸１１３及びフレームサポート１１１を支持軸１１３の軸線回りに回転しないようにするための構成は、支持軸１１３を角柱状に形成することが必ずしも要件ではない。この支持軸１１３及びフレームサポート１１１を支持軸１１３の軸線回りに回転しなければよいので、このための構成としては他の周知の構造を使用できる。
【００４７】
この支持軸１１３の下端部にはストッパとしてのナット１１４が螺着されている。これにより、支持軸１１３及びフレームサポート１１１は所定範囲内で上下動できるように装置本体１に取り付けられている。
【００４８】
また、支持軸１１３の中間部にはバネ受け用のフランジ１１５が一体に形成されている。そして、ブラケット１１２とフランジ１１５との間には付勢手段としてのコイルスプリング１１６が介装されている。このコイルスプリング１１６は、支持軸１１３を上方にバネ付勢している。
【００４９】
このコイルスプリング１１６は、フレームサポート１１１上にメガネの眼鏡フレームを支持させたときに、メガネが自己の重量によりレンズ受１７ａ，２８ａの上端より下方に降下しないようにある程度バネ力が強く設定されている。
＜フレームサポート押し下げ機構＞
また、前壁４ａには左右の支持軸１１３に対応して上下に延びるレバー挿通開口１２０がそれぞれ形成されている。この前壁４ａには、フレームサポート押し下げ機構１２１が取り付けられている。
【００５０】
このフレームサポート押し下げ機構１２１は、図１７に示したように開口１２０より下方に位置させて前壁４ａの背面に固定された上ブラケット１２２，１２２と、ブラケット１２２，１２２を貫通してブラケット１２２，１２２に回動自在に且つ軸線方向に移動不能に保持された回動軸１２３と、回動軸１２３の両端部に固定された押し下げレバー１２４，１２４と、ブラケット１２２と回動軸１２３との間に介装されて押し下げレバー１２４，１２４を下方に回動付勢している撚りコイルスプリング１２５を有する。
【００５１】
この各押し下げレバー１２４は、レバー挿通開口１２０に挿通されて、先端部が下部筐体３内に突出させられていると共に、支持軸１１３のフランジ１１５上に撚りコイルスプリング１２５のバネ力により軽く当接させられている。
【００５２】
また、フレームサポート押し下げ機構１２１は、図１６に示したように前壁４ａの背面の上部に取り付けられた上ブラケット１２６，１２７と、前壁４ａの背面の下部に取り付けられた下ブラケット１２８と、ブラケット１２６〜１２８を貫通し且つブラケット１２６〜１２８に回転自在に保持された送りネジ１２９と、ブラケット１２６上に配設されて送りネジ１２９を回転駆動するパルスモータ（駆動モータ）１３０を有する。尚、下ブラケット１２８は開口１２０より下方に配設されている。
【００５３】
更に、フレームサポート押し下げ機構１２１は、前壁４ａの背面に昇降自在（上下動自在）に取り付けられたスライダ１３１と、送りネジ１２９に螺着された角柱状のナット１３２を有する。このナット１３２は、側面がスライダ１３１に当接していて、送りネジ１２９の回転時に軸線回りに回転しないようになっている。これによりナット１３２は送りネジ１２９の正転又は逆転時に上下動させられるようになっている。
【００５４】
尚、スライダ１３１は、図１６，図１８（Ａ）に示したように前板部１３１ａ及び前板部１３１ａの両側に連設された側板部１３１ｂ，１３１ｂから平面形状がコ字状に形成されている。この前板部１３１ａの両側部には図１８（Ｄ）に示したように開口１３１ｃ，１３１ｃが形成されている。
【００５５】
しかも、ナット１３２の一部は、図１６に示したように左右の押し下げレバー１２４，１２４の一方に臨ませられていて、降下したときに一方の押し下げレバー１２４を下方に回動させるようになっている。
＜遮光機構＞
また、スライダ１３１には、図１６に示したようにメガネの眼鏡レンズの屈折特性を測定する際に、メガネ配設空間１０５の側方を覆う遮光機構１４０が設けられている。
【００５６】
この遮光機構１４０は、上述した送りネジ１２９，パルスモータ１３０，スライダ１３１及びナット１３２を有する。
【００５７】
しかも、遮光機構１４０は、図１８（Ａ）に示したように前板部１４１ａ及び側板部１４１ｂ，１４１ｂからコ字状に形成された回動アーム１４１と、伸縮する遮光カバー１４２を有する。この遮光カバー１４２は、前カバー板部１４３ａ及び側カバー板部１４３ｂ，１４３ｂからコ字状に形成された上カバー板（外カバー板）１４３と、前カバー板部１４４ａ及び側カバー板部１４４ｂ，１４４ｂからコ字状に形成された下カバー板（内カバー板）１４４を備えている。
【００５８】
そして、回動アーム１４１の側板部１４１ｂ，１４１ｂは、スライダ１３１の前板部１３１ａに設けた開口１３１ｃ，１３１ｃに図１６，図１８（Ｄ）の如く挿通されていると共に、後端部がスライダ１３１の側板部１３１ｂ，１３１ｂに支持軸１４５，１４５を介して回動自在に取り付けられている。
【００５９】
この回動アーム１４１の一方の側板部１４１ｂにはナット１３２が下方から当接可能に設けられている。しかも、回動アーム１４１は、ナット１３２により上方に水平になるまで持ち上げられると、開口１３１ｃの上端に当接してそれ以上上方に回動しないようになっている。この状態で、更にナット１３２を上昇させると、スライダ１３１が回動アーム１４１と一体に上昇させられるようになっている。
【００６０】
また、上カバー板１４３の側カバー板部１４３ｂ，１４３ｂはスライダ１３１の側板部１３１ｂ，１３１ｂの外側面に固定ネジ１４６，１４６を介して固定され、下カバー板１４４の側カバー板部１４４ｂ，１４４ｂは回動アーム１４１の側板部１４１ｂ，１４１ｂに固定ネジ１４７，１４７を介して固定されている。しかも、下カバー板１４４は、上カバー板１４３の内側に略内接するように配設されている。
＜制御回路＞
上述したＣＣＤ２４の出力（測定信号）は図５の演算制御回路（演算制御手段）８０に入力され、リミットスイッチ５６及びマイクロスイッチ６４は演算制御回路８０に接続されている。また、演算制御回路８０は、ＬＥＤ１２，１３，２５，２６を点灯制御し、駆動モータ５４及び７４を作動制御する様になっている。また、この演算制御回路８０には、測定開始スイッチ１０１，モード切替スイッチ１０２，スイッチ１０３，プリントスイッチ１０４が接続されていると共に、液晶表示器１００が接続されている。
[作用]
次に、この様な構成のレンズメータの作用を説明する。
（電源投入前）
このレンズメータの電源を投入する前には、図８に示したように、ギヤ５２の係合突部５３が二点鎖線で示した位置に位置させられている。この位置では、コイルスプリング５１の張力を小さくさせるために、図８に示したように、フレーム保持板３６，３７がコイルスプリング５１の引張り力（バネ力）により二点鎖線で示した位置に位置させられていて、フレーム保持板３６，３７の間隔が最小となっている。この位置では、係合ピン４８，４９，５０が二点鎖線で示した位置に位置させられていて、係合突部５３が係合ピン５０から時計回り方向に僅かに離れている。
【００６１】
また、レンズメータの電源を投入する前には、コイルスプリング７３Ｌ，７３Ｒの引張り力（バネ力）を小さくするために、昇降部材７９が図７に実線で示したように送りネジ７７のネジ部７７ａの下端部に位置させられている。この位置では、回転板６９Ｌ，６９Ｒの係合片７０Ｌ，７０Ｒが実線で示したようにコイルスプリング７３Ｌ，７３Ｒの引張り力（バネ力）により下方に傾斜させられた状態となっていて、アーム６７Ｌ，６７Ｒが水平に倒された状態となっている。（電源投入による初期化）
この様な状態からレンズメータの電源を投入すると演算制御回路８０は、鼻当支持部材５７の移動を検出すると、駆動モータ５４を作動制御してピニオン５５を回転させ、このピニオン５５によりギヤ５２を図８中反時計回り方向に回転させる。この回転に伴いギヤ５２の側面に突設した係合突部５３は、回転板４７の係合ピン５０に当接した後、この係合ピン５０を図８中反時計回り方向に回転させて、回転板４７を反時計回り方向に回転させる。
【００６２】
この回転板４７に回転に伴い、係合ピン４８，４９が回転板４７と一体に二点鎖線で示した位置から反時計回り方向に回転させられ、リンク板３８，３９がコイルスプリング５１の引張り力（バネ力）に抗して互いに反対方向に変位させられる。即ち、図８中、リンク板３８は図示を省略した位置から右方に実線で示した位置まで変位させられ、リンク板３９は図示を省略した位置から左方に実線で示した位置まで変位させられる。このリンク板３８が図８の実線で示した位置まで変位させられると、このリンク板３８の端部によりリミットスイッチ５６がＯＮさせられ、このＯＮ信号が演算制御回路８０に入力される。この演算制御回路８０は、リミットスイッチ５６からのＯＮ信号が入力されると、駆動モータ５４の作動を停止させる。
【００６３】
このリンク板３８，３９の相対変位により、フレーム保持板３６，３７が図８中、二点鎖線で示した位置から実線で示した位置まで矢印８２，８３で示した方向（互いに反対方向）に変位させられて、フレーム保持板３６，３７の間隔が最大に広がり、測定作業の待機状態となる。
【００６４】
一方、レンズメータの電源を投入すると、演算制御回路８０は図６，図７の駆動モータ７４を作動させてピニオン７５を回転させ、このピニオン７５の回転をギヤ７８を介して送りネジ７７に伝達させ、昇降部材７９が図７に二点鎖線で示したように送りネジ７７のネジ部７７ａの上端部まで移動させる。これにより、測定を開始する前には、回転板６９Ｌ，６９Ｒの係合片７０Ｌ，７０Ｒが上方に二点鎖線で示したように傾斜させられた状態となっていて、アーム６７Ｌ，６７Ｒが図１，図２の如く起立させられ、レンズ押さえ軸６８Ｌ，６８Ｒの先端部が図１の如く互いに対向させられて、測定作業の待機状態となる。
＜データ入力モード＞
この測定作業待機状態では、演算制御回路８０は図２６に示した瞳孔間距離入力画面を液晶表示器１００に表示させる。
【００６５】
この液晶表示器１００の下部には、メガネ装用者の鼻の中心から左の瞳孔中心までの左ハーフＬＨＰＤと、左右の瞳孔間距離ＰＤと、メガネ装用者の鼻の中心から右の瞳孔中心までの右ハーフＲＨＰＤの標準のデータがこの順に表示されている。即ち、ＬＨＰＤが「３２」、ＰＤが「６４」、ＲＨＰＤが「３２」として液晶表示器１００に表示されている。
【００６６】
また、液晶表示器１００の下縁部（下端部）には、測定開始スイッチ１０１，モード切替スイッチ１０２，スイッチ１０３，プリントスイッチ１０４に対応する「測定」、「モード」、「＋」、「−」等の表示がされている。
【００６７】
この状態においては、モード切替スイッチ１０２の操作をすることにより、ＬＨＰＤとＲＨＰＤの入力モードを切り替えることができるようになっている。この切り替え状態は、例えば図２７，図２８に示したようにＬＨＰＤとＲＨＰＤの部分の色を変えることで作業者に知らせることができる。
【００６８】
図２７はＬＨＰＤのデータの変更が可能な状態となっており、図２８はＲＨＰＤのデータの変更が可能となっている。
【００６９】
従って、図２７では、スイッチ１０３，１０４を操作することにより、ＬＨＰＤのデータ「３２」の増減を行うことができる。また、 図２８では、スイッチ１０３，１０４を操作することにより、ＲＨＰＤのデータ「３２」の増減を行うことができる。この様にして設定されるＬＨＰＤやＲＨＰＤは、レフラクトメータやＰＤメータで測定した装用者の処方値に基づくものである。ここでは、例えば、ＬＨＰＤを「３１．５」に変更し、ＲＨＰＤを「３１．５」に変更した例を示す。
【００７０】
尚、この実施例では、ＬＨＰＤやＲＨＰＤを手入力で設定したが、必ずしもこれに限定されるものではない。
【００７１】
例えば、レフラクトメータやＰＤメータを演算制御回路８０に接続しておいて、レフラクトメータやＰＤメータで測定したＬＨＰＤやＲＨＰＤのデータを演算制御回路８０に送信することで、ＬＨＰＤやＲＨＰＤの部分に装用者のＬＨＰＤやＲＨＰＤのデータを入力するようにすることもできる。
（メガネの配設）
この様な状態においてレンズメータによりメガネ５の屈折特性等の屈折特性を測定するには、メガネ５のメガネフレームＭＦをメガネ配設空間１０５内に配設して、メガネ５の鼻当ＮＰ，ＮＰを鼻当支持部材５７の上端部の前面に当接させる。
【００７２】
これと同時に、メガネフレームＭＦの左右のレンズ枠ＬＦ，ＲＦのテンプルＬＴ，ＲＴ取付部側の部分を図１９，図２２（Ａ）の如くフレームサポート１１１，１１１上に支持させる。この際、メガネフレームＭＦの左右のレンズ枠ＬＦ，ＲＦはそれぞれ２点で支持されるので、レンズ枠ＬＦ，ＲＦの形状やテンプルＬＴ，ＲＴ等の取付位置のために重心位置が中央にない状態でも、左右のレンズ枠ＬＦ，ＲＦは前後方向において上下に傾くことなく略水平に支持される。しかも、レンズ枠ＬＦ，ＲＦ及び眼鏡レンズＬＬ，ＲＬは、コイルスプリング１１６のバネ力でレンズ受１７ａ，２８ａの上端よりも上方に配設された状態となっている。
【００７３】
これにより、眼鏡レンズＬＬ，ＲＬが測定光学系９Ｌ，９Ｒの光路途中にそれぞれ配設される。即ち、眼鏡レンズＬＬが測定光学系９Ｌの投影光学系１０Ｌと受光光学系１１Ｌとの間に配設され、眼鏡レンズＲＬが測定光学系９Ｒの投影光学系１０Ｒと受光光学系１１Ｒとの間に配設される。
【００７４】
尚、メガネがリムレスフレーム即ち２ポイントフレームのメガネの場合、テンプル取付金具が眼鏡レンズの縁部に固定ネジで取り付けられているが、この固定ネジが突出しているため、この固定ネジを取り付けている部分をフレームサポート１１１，１１１で支持することはできない。このため、Ｌ字状のフレームサポート１１１，１１１の角部に沿ってスリット１１１ａ，１１１ａを設けて、このスリット１１１ａ，１１１ａの部分から外側に固定ネジを配置可能とすることで、小さいリムレスフレームのメガネの測定も行うことができる。
（メガネの保持動作）
また、測定開始スイッチ１０１を押すと、演算制御回路８０は、駆動モータ５４を所定数の駆動パルスで作動制御してピニオン５５を所定回転数だけ回転させ、このピニオン５５によりギヤ５２を図８中時計回り方向に回転させて、ギヤ５２の側面に突設した係合突部５３を時計回り方向に回転させる。この駆動モータ５４の回転は、係合突部５３が二点鎖線で示した位置に移動するまで回転させる。尚、この位置はマイクロスイッチやリミットスイッチ等で検出して、駆動モータ５４を停止させるようにすることもできる。
【００７５】
これに伴い、回転板４７の係合ピン５０は、コイルスプリング５１のバネ力により係合突部５３に追従して図８中時計回り方向に回転させられ、回転板４７が時計回り方向に係合ピン５０と一体に回転する。
【００７６】
この回転板４７に回転に伴い、係合ピン４８，４９が回転板４７と一体に実線で示した位置から時計回り方向に回転させられ、リンク板３８，３９がコイルスプリング５１の引張り力（バネ力）により互いに反対方向に変位させられる。
【００７７】
この際、リンク板３８が図８中左方に変位させられて、リンク板３８と一体のフレーム保持板３６が図８中矢印８４で示したように左方に変位させられると共に、リンク板３９が右方に変位させられて、リンク板３９と一体のフレーム保持板３７が図８中矢印８５で示したように右方に変位させられる。
【００７８】
これにより、フレーム保持板３６，３７は、矢印８４，８５で示したように互いに接近する方向に等しい量移動して、メガネフレームＭＦのレンズ枠ＬＦ，ＲＦ及び眼鏡レンズＬＬ，ＲＬをフレーム保持板３６，３７間の中央側に移動させる。
【００７９】
この際、鼻当支持部材５７もメガネフレームＭＦの鼻当ＮＰと一体にスリット５９に沿って前後方向に移動させられながら、メガネフレームＭＦがパターン板１７，２８間の中央に鼻当ＮＰが位置するように鼻当支持部材５７の円弧面により左右方向に移動させられて、メガネフレームＭＦの支持位置が正しい位置に修正される。
【００８０】
従って、図２３（ａ）の如く眼鏡レンズＬＬ，ＲＬがフレーム保持板３６，３７に対して偏って配設されても、フレーム保持板３６，３７は、レンズ枠ＬＦ，ＲＦ及び眼鏡レンズＬＬ，ＲＬを図２３（ｂ）の如くフレーム保持板３６，３７間の中央側に移動させる。この際、図１９，図２３（ａ），図２３（ｂ）の如く左右のレンズ枠ＬＦ，ＲＦ及び眼鏡レンズＬＬ，ＲＬはレンズ受１７ａ，２８ａの上端より上方に浮いた状態となっているので、レンズ枠ＬＦ，ＲＦがレンズ受１７ａ，２８ａに側方から当るようなことはない。この結果、偏って配設されたレンズ枠ＬＦ，ＲＦがフレーム保持板３６，３７によりフレーム保持板３６，３７間の中央側に移動させられる際に、レンズ受１７ａ，２８ａがレンズ枠ＬＦ，ＲＦにより損傷させられるようなことはない。
【００８１】
そして、このような移動により、メガネ５の眼鏡フレームＭＦを傾斜する対向面３６ａ，３７ａ間で保持（挟持）し、左右の眼鏡レンズＬＬ，ＲＬの略中央をレンズ受１７ａ，２８ａの上方に浮いた状態で配設する。
（メガネ配設空間１０５の側部の遮光動作）
これに続いて演算制御回路８０は、パルスモータ１３０を作動制御して送りネジ１２９を回転させ、ナット１３２を降下させる。これに伴い、スライダ１３１，回動アーム１４１，遮光カバー１４２等の自重によって回動アーム１４１がナット１３２に追従して降下することにより、スライダ１３１，回動アーム１４１，遮光カバー１４２等が一体に降下する。
【００８２】
この降下に伴い、図１６に二点鎖線で示した如く遮光カバー１４２の上カバー板１４３が上部筐体２から下方に所定量だけ突出すると、スライダ１３１の下端が下ブラケット１２８に当接して、スライダ１３１の降下が停止される。
【００８３】
この位置から更にナット１３２が降下させられて、回動アーム１４１が開口１３１ｃの下端に当接するまで支持軸１４５，１４５を中心に下方に回動させられ、図１６に二点鎖線で示した如く下カバー板１４４が上カバー板１４３から下方に突出する。尚、ナット１３２の降下は回動アーム１４１が開口１３１ｃの下端に当接するまで行われると、パルスモータ１３０の作動が停止させられる。
【００８４】
これにより、メガネ配設空間１０５の前側及び左右両側部が遮光カバー１４２（カバー板１４３，１４４）により覆われる。上述した様にメガネ５を前後方向の中央に移動させてから遮光カバー１４２によりメガネ配設空間１０５の前側及び左右両側部をカバーするようにしている。
【００８５】
尚、メガネ配設空間１０５の下端部側は僅かにカバーされていない部分があるが、メガネ配設空間１０５の上部側から斜めに入る外光が遮光カバー１４２により遮光されるので、測定に支障は来さない。また、メガネ配設空間１０５の下端部側は僅かにカバーされていない部分があるが、この部分も含めてメガネ配設空間１０５の全てを遮光可能に覆うように設定しても良い。
（眼鏡フレームのセット状態の修正）
このような遮光動作に続いて演算制御回路８０は、駆動モータ７４を所定数の駆動パルスで作動制御してピニオン７５を回転させ、この回転をギヤ７８を介して送りネジ７７に伝達させ、この送りネジ７７により昇降部材７９を二点鎖線で示した位置から下方に移動させる。この際、駆動モータ７４の作動は、昇降部材７９が送りネジ７７の下端部に達するまで行われる。そして、昇降部材７９が送りネジ７７の下端部に達すると駆動モータ７４の作動が停止させられる。尚、この様な動作は、パルスモータである駆動モータ７４を所定回転数だけ回転させることにより行うことができる。しかし、この昇降部材７９の上下の移動位置はマイクロスイッチ等で位置検出手段で検出して、この位置検出手段からの検出信号により駆動モータ７４の作動停止を行うようにしても良い。
【００８６】
そして、昇降部材７９の下方への移動に伴い、回転板６９Ｌ，６９Ｒの係合片７０Ｌ，７０Ｒの先端部が昇降部材７９のフランジ７９ａに追従して下方に移動し、回転板６９Ｌがコイルスプリング７３Ｌのバネ力で図７中反時計回り方向に回転させられると共に、回転板６９Ｒがコイルスプリング７３Ｒのバネ力で図７中時計回り方向に回転させられる。
【００８７】
この様な回転板６９Ｌ，６９Ｒの回転は回転軸６６Ｌ，６６Ｒを介してアーム６７Ｌ，６７Ｒに伝達される。これにより、アーム６７Ｌ及びレンズ押さえ軸６８Ｌが図１９（ａ）の如く矢印８６で示したように時計回り方向に回動変位させられると共に、アーム６７Ｒ及びレンズ押さえ軸６８Ｒが図１９（ａ）の如く矢印８７で示したように反時計回り方向に回動変位させられる。この様にレンズ押さえ軸６８Ｌ，６８Ｌおよび６８Ｒ，６８Ｒは、回転しながら降下して、図２３（ｃ）の如く左右の眼鏡レンズＬＬ及びＲＬに当接した後、更に降下して図２０，図２２（Ｂ），図２３（ｄ）の如くメガネ５の左右の眼鏡レンズＬＬ及びＲＬを先端部でレンズ受１７ａ及び２８ａに対してそれぞれ押し付ける。
【００８８】
この際、レンズ押さえ軸６８Ｌ，６８Ｌおよび６８Ｒ，６８Ｒによる眼鏡レンズＬＬ，ＲＬの押さえ付けは、コイルスプリング７３Ｌ，７３Ｒのバネ力のみで行われることになる。
【００８９】
一方、この際、フレームサポート１１１がレンズ押さえ軸６８Ｌ，６８Ｌおよび６８Ｒ，６８Ｒによる眼鏡レンズＬＬ，ＲＬの押さえ付け力により、コイルスプリング１１６のバネ力に抗して眼鏡レンズＬＬ，ＲＬと一体に降下させられる。
【００９０】
この状態で演算制御回路８０は、駆動モータ５４を所定数の駆動パルスで作動制御してピニオン５５を所定回転数だけ上述とは逆方向に回転させ、このピニオン５５によりギヤ５２を図８中反時計回り方向に回転させて、ギヤ５２の側面に突設した係合突部５３を反時計回り方向に回転させることにより、図２３（ｅ）に示したようにフレーム保持板３６，３７をレンズ枠ＬＦ，ＲＦから離反する方向に移動させる。
【００９１】
これにより、眼鏡レンズＬＬ，ＲＬがレンズメータの前後方向において傾斜した状態でフレーム保持板３６，３７間で保持（挟持）されていても、２つのレンズ押さえ軸（レンズ押さえ部材）６８Ｌ，６８Ｌおよび６８Ｒ，６８Ｒがレンズ受１７ａの軸線（光軸ＯＬと一致）及びレンズ受２８ａ（光軸ＯＲと一致）の両側をコイルスプリング７３Ｌ，７３Ｒのバネ力によりそれぞれ押さえ付けているので、フレーム保持板３６，３７がレンズ枠ＬＦ，ＲＦから離反させられる際に、眼鏡レンズＬＬ，ＲＬの傾斜がコイルスプリング７３Ｌ，７３Ｒのバネ力と２つのレンズ押さえ軸（レンズ押さえ部材）６８Ｌ，６８Ｌおよび６８Ｒ，６８Ｒにより修正される。
【００９２】
次に、演算制御回路８０は、駆動モータ５４を所定数の駆動パルスで作動制御してピニオン５５を所定回転数だけ回転させ、このピニオン５５によりギヤ５２を図８中時計回り方向に回転させて、ギヤ５２の側面に突設した係合突部５３を時計回り方向に回転させることにより、フレーム保持板３６，３７をレンズ枠ＬＦ，ＲＦ側に移動させる。これにより、図２３（ｆ）に示した如くフレーム保持板３６，３７がレンズ枠ＬＦ，ＲＦを再度挟持するので、レンズ枠ＬＦ，ＲＦを備える眼鏡フレームＭＦがフレーム保持板３６，３７の傾斜する対向面３６ａ，３７ａ間で正しく保持されることになる。
（フレームサポートの降下動作）
この後、演算制御回路８０は、パルスモータ１３０を作動制御して送りネジ１２９を回転させ、ナット１３２を更に所定量だけ降下させて停止させると共に、このナット１３２により左右の押し下げレバー１２４の一方を下方に押圧して下方に所定量だけ回動させる。この際、回動軸１２３が一方の押し下げレバー１２４と一体に同方向に回動させられて、他方の押し下げレバー１２４も下方に回動させる。
【００９３】
これにより、図２２（ｃ）に示した如く左右の各支持軸１１３及びフレームサポート１２４が押し下げレバー１２４によりコイルスプリング１１６のバネ力に抗して所定量だけ一体に押し下げられて、フレームサポート１１１がメガネフレームＭＦのレンズ枠ＬＦ，ＲＦから離反する。
【００９４】
この結果、コイルスプリング１１６のバネ力が支持軸１１３及びフレームサポート１２４を介してレンズ枠ＬＦ，ＲＦに作用しない状態となる。この状態では、レンズ押さえ軸６８Ｌ，６８Ｒを眼鏡レンズＬＦ，ＲＦから離反させても、コイルスプリング１１６のバネ力によりレンズ受１７ａ，２８ａが眼鏡レンズＬＦ，ＲＦから浮き上がることがない。
【００９５】
この後、演算制御回路８０は、駆動モータ７４を上述とは逆に所定数の駆動パルスで作動制御して、昇降部材７９を上昇させ、この昇降部材７９により係合片７０Ｌ，７０Ｒの先端部を上昇させることにより、回転板６９Ｌ，６９Ｒをコイルスプリング７３Ｌ，７３Ｒのバネ力に抗して上述とは逆に回転させ、アーム６７Ｌ，６７Ｒを図２１に矢印８６′，８７′で示したように上方を向く位置まで垂直に回転させる。
【００９６】
この位置では、アーム６７Ｌ，６７Ｒに取り付けたレンズ押さえ軸６８Ｌ，６８Ｒが図２１，図２２（ｇ）の如くハルトマンプレート１７，２８の上方から左右に退避しているので、レンズ押さえ軸６８Ｌ，６８Ｒが測定光束を遮らない状態となる。
（屈折特性の測定）
＜眼鏡レンズＬＬの屈折特性測定＞
この状態で演算制御回路８０は、測定光学系９ＬのＬＥＤ１２，１３を順番に点灯させて、眼鏡レンズＬＬの測定を行う。この際、ＬＥＤ１２からの測定光束は、ダイクロミラー１４Ｌ及び全反射ミラー１５で反射した後、コリメータレンズ１６により平行光束とされて眼鏡レンズＬＬに投光される。これに伴い、眼鏡レンズＬＬを透過した測定光束は、パターン板１７を透過して多数の測定光束となり、この多数の測定光束がフィールドレンズ１８の上面に投影される。このフィールドレンズ１８の上面に投影された多数の測定光束は、フィールドレンズ１６、反射ミラー１９，２０，２１、光路合成プリズム２２及び結像レンズ２３を介してＣＣＤ２４に案内される。この際、結像レンズ２３は、ＣＣＤ２４上にパター板１７のパターン像を結像させる。
【００９７】
また、ＬＥＤ１３からの測定光束は、ダイクロミラー１４Ｌを透過して全反射ミラー１５で反射した後、コリメータレンズ１６で平行光束にされて眼鏡レンズＬＬに投光される。これに伴い、眼鏡レンズＬＬを透過した測定光束は、パターン板１７を透過して多数の測定光束となり、この多数の測定光束がフィールドレンズ１８の上面に投影される。このフィールドレンズ１８の上面に投影された多数の測定光束は、フィールドレンズ１６、反射ミラー１９，２０，２１、光路合成プリズム２２及び結像レンズ２３を介してＣＣＤ２４に案内される。この際、結像レンズ２３は、ＣＣＤ２４上にパターン板１７のパターン像を結像させる。
【００９８】
そして、演算制御回路８０は、ＣＣＤ２４に結像されたパターン像の状態から眼鏡レンズＬＬの各部の屈折特性を測定して、眼鏡レンズＬＬの各部の屈折特性のマッピングデータを求める。この屈折特性としては、球面度数（Ｓ），円柱度数（Ｃ），円柱軸角度（Ａ）等がある。
【００９９】
この場合、左の眼鏡レンズＬＬの屈折特性は、左ハーフ瞳孔間距離ＬＨＰＤが「３１．５」の位置に対応して求められる。また、この屈折特性は、眼鏡レンズＬＬが累進レンズの場合には遠用部の位置で求められる。
＜眼鏡レンズＲＬの屈折特性測定＞
この状態で演算制御回路８０は、測定光学系９ＲのＬＥＤ２５，２６を順番に点灯させて、眼鏡レンズＲＬの測定を行う。この際、ＬＥＤ２５からの測定光束は、ダイクロミラー１４Ｒ及び全反射ミラー１５で反射した後、コリメータレンズ２７により平行光束とされて眼鏡レンズＲＬに投光される。これに伴い、眼鏡レンズＲＬを透過した測定光束は、パターン板２８を透過して多数の測定光束となり、この多数の測定光束がフィールドレンズ２９の上面に投影される。このフィールドレンズ２９の上面に投影された多数の測定光束は、フィールドレンズ２９、反射ミラー３０，３１、光路合成プリズム２２及び結像レンズ２３を介してＣＣＤ２４に案内される。この際、結像レンズ２３は、ＣＣＤ２４上にパター板２８のパターン像を結像させる。
【０１００】
また、ＬＥＤ２６からの測定光束は、ダイクロミラー１４Ｒ及び全反射ミラー１５で反射した後、コリメータレンズ２７により平行光束とされて眼鏡レンズＲＬに投光される。これに伴い、眼鏡レンズＲＬを透過した測定光束は、パターン板２８を透過して多数の測定光束となり、この多数の測定光束がフィールドレンズ２９の上面に投影される。このフィールドレンズ２９の上面に投影された多数の測定光束は、フィールドレンズ２９、反射ミラー３０，３１、光路合成プリズム２２及び結像レンズ２３を介してＣＣＤ２４に案内される。この際、結像レンズ２３は、ＣＣＤ２４上にパターン板２８のパターン像を結像させる。
【０１０１】
そして、演算制御回路８０は、ＣＣＤ２４に結像されたパターン像の状態から眼鏡レンズＲＬの各部の屈折特性を測定して、眼鏡レンズＲＬの各部の屈折特性のマッピングデータを求める。この屈折特性としては、球面度数（Ｓ），円柱度数（Ｃ），円柱軸角度（Ａ）等がある。
【０１０２】
この場合、右の鏡レンズＲＬの屈折特性は、右ハーフ瞳孔間距離ＲＨＰＤが「３１．５」の位置に対応して求められる。また、この屈折特性は、眼鏡レンズＲＬが累進レンズの場合には遠用部の位置で求められる。
＜測定結果の表示＞
また、演算制御回路８０は、この様にして求めた眼鏡レンズＬＬ，ＲＬの屈折特性（屈折特性）を図２４に示した如く液晶表示器１００に同時に表示させる。
【０１０３】
この図２４においては、液晶表示器１００の左上端に左の眼鏡レンズＬＬであることを示す「左」が表示され、液晶表示器１００の右上端に右の眼鏡レンズＲＬであることを示す「右」が表示される。
【０１０４】
しかも、液晶表示器１００の中央にＳ（球面度数），Ｃ（円柱度数），Ａ（円柱軸の軸角度），ＡＤＤ（加入度数）等の文字が表示され、Ｓ，Ｃ，Ａ，ＡＤＤの左右に左右の眼鏡レンズＬＬ，ＲＬの数値データ（測定データ）がそれぞれ表示される。
【０１０５】
図２４では、左の眼鏡レンズＬＬのＳが「＋１．７５」、Ｃが「−１．５０」、Ａが６０」、ＡＤＤが「３．００」と表示されている。同様に、右の眼鏡レンズＲＬのＳが「＋１．７５」、Ｃが「＋０．００」、Ａが「１８０」、ＡＤＤが「３．００」と表示されている。
【０１０６】
また、これらの数値データの下方には、左右の眼鏡レンズＬＬ，ＲＬ間のＬＰＤ（光学中心間距離）と、眼鏡レンズＬＬ，ＲＬ間の中央から眼鏡レンズＬＬ，ＲＬの光学中心までの左ハーフＬＬＨＰＤ及び右ハーフＲＬＨＰＤの測定データが表示されている。この左ハーフＬＬＨＰＤ及び右ハーフＲＬＨＰＤは中央の光学中心間距離ＬＰＤの左右に表示されている。
【０１０７】
しかも、光学中心間距離ＬＰＤの測定データ（数値データ）はメガネフレームＭＦのフレーム形状１５０の右側に表示され、左ハーフＬＬＨＰＤはメガネフレームＭＦの左半分のフレーム形状１５１の右側に表示され、右ハーフＲＬＨＰＤはメガネフレームＭＦの右半分のフレーム形状１５２の右側に表示されている。尚、図２４では、光学中心間距離ＬＰＤが「６３」、光学中心間距離ＬＬＨＰＤが「３１．５」、右ハーフＲＬＨＰＤが「３１．５」として表示されている。
【０１０８】
この左ハーフＬＬＨＰＤ「３１．５」、光学中心間距離ＬＰＤ「６３」、右ハーフＲＬＨＰＤ「３１．５」は、上述した左ハーフ瞳孔間距離ＬＨＰＤ「３１．５」、瞳孔間距離ＰＤ「６３」、右ハーフ瞳孔間距離ＲＨＰＤ「３１．５」と一致している。
【０１０９】
また、液晶表示器１００の下縁部（下端部）には、測定開始スイッチ１０１，モード切替スイッチ１０２，スイッチ１０３，プリントスイッチ１０４に対応する「測定」、「モード」、「＋／−」、「印刷」等の表示がされている。
【０１１０】
そして、演算制御回路８０は、モード切替スイッチ１０２を操作する（押す）と、図２５に示したように測定結果の表示を切り換える。この図２５では、図２４の表示に加えて、Ｓ，Ｃ，Ａ，ＡＤＤの測定データの左右に左右の眼鏡レンズＬＬ，ＲＬの屈折度数のマッピング画像１５３，１５４の表示をさせている。図２５のマッピング画像１５３，１５４は、眼鏡レンズＬＬ，ＲＬが累進レンズである場合の測定データに基づく表示例を示したもである。
【０１１１】
そして、眼鏡レンズＬＬ，ＲＬが累進レンズである場合には、左右の眼鏡レンズＬＬ，ＲＬのＡＤＤの測定データの下方に近点「Ｎ」から遠点「Ｆ］までの累進部１５３ａ，１５４ａの加入度数の変化を示す加入度数変化グラフ１５３ｂ，１５４ｂが液晶表示器１００に表示される。
【０１１２】
また、加入度数変化グラフ１５３ｂ，１５４ｂの側部には近点「Ｎ」及び遠点「Ｆ］の加入度数がそれぞれ表示される。図２４では、加入度数変化グラフ１５３ｂの近点「Ｎ」が「２．１」，遠点「Ｆ］が「１７．０」として表示され、加入度数変化グラフ１５４ｂの近点「Ｎ」が「３．１」，遠点「Ｆ］が「１７．０」として表示されている。
【０１１３】
尚、上述した実施例のメガネ５は眼鏡レンズＬＬ，ＲＬがレンズ枠ＬＦ，ＲＦに枠入しメガネフレームＭＦを有する。そして、上述した実施例では、メガネフレームＭＦが設けられたメガネ５の屈折特性を測定するようにしているが、必ずしもこれに限定されるものではない。
【０１１４】
例えば、フレームレスのメガネの測定を行うこともできる。即ち、レンズ枠ＬＦ，ＲＦを設けずに、ブリッジやテンプル取付金具を眼鏡レンズＬＬ，ＲＬに直接ネジで固定するようにした２ポイントフレームのメガネの測定を行うこともできる。この場合には、眼鏡レンズＬＬ，ＲＬがフレームサポート１１１に直接支持されることになる。
[変形例１]
以上説明した実施例では、メガネの左右の眼鏡レンズＬＬ，ＲＬの屈折特性及びマッピングデータを同時に測定可能なレンズメータに、この発明を適用した例を示したが、必ずしもこれに限定されるものではない。例えば、図２９に示したような眼鏡レンズＬＬ，ＲＬを片方ずつ測定できるレンズメータにこの発明を適用しても良い。
【０１１５】
このレンズメータは、図２９に示したように装置本体２００の正面の中間部に設けた上部筐体部２０１と、装置本体２００の正面の下部に設けた下部筐体部２０２と、装置本体２００の正面上部に設けた液晶表示器（表示装置）２０３を有する。
【０１１６】
そして、下部筐体部２０２の上面には筒状レンズ受２０４が設けられ、上部筐体部２０１内には筒状レンズ受２０４及びこのレンズ受２０４に載置されるレンズに対して測定光束を投影する投影光学系（図示せず）が設けられ、下部筐体２０２内には筒状レンズ受２０４に載置されるレンズを透過する測定光束を図３１のＣＣＤ等の受光センサ（受光装置）２０５に導く受光光学系（図示せず）が設けられている。
【０１１７】
そして、投影光学系と受光光学系は測定光学系を構成し、この測定光学系の測定光軸Ｏは筒状レンズ受２０４の中心と一致させられている。
【０１１８】
また、装置本体２００の正面には上部筐体部２０１と下部筐体部２０２との間に配設したレンズテーブル２０６が前後動可能に装着されている。このレンズテーブル２０６は、左右に延びていると共に、装置本体２００の側部に設けられたレバー２０７を矢印２０８で示したように前後回動させることにより、前後に進退動するようになっている。
【０１１９】
このような構成には周知の構成が採用できるのでその詳細な説明は省略する。
【０１２０】
また、レンズテーブル２０６の上縁部には、図２９，図３０に示したように左右に移動可能に鼻当支持部材２０９が装着されている。
【０１２１】
しかも、この鼻当支持部材２０９の左右方向への移動量は図３１の移動量測定装置２１０で検出されるようになっている。この移動量検出装置２１０としては、特開平８−２９２９２号公報に開示された構成のポテンショメータを採用できるので、その詳細な説明は省略する。
【０１２２】
この移動量検出装置２１０からの移動量検出信号及び受光センサ２０５からの屈折力測定信号は、図３１の演算制御回路２１１に入力されるようになっている。そして、演算制御回路２１１は、受光センサ２０５からの屈折力測定信号に基づいて、測定光軸Ｏ上における眼鏡レンズの屈折特性を求めて、この求めた屈折特性を液晶表示器２０３の画面２０３ａ上に表示させるようになっている。この屈折特性としては、上述したＳ，Ｃ，Ａ，ＡＤＤ等がある。
【０１２３】
また、この演算制御回路２１１には、レフラクトメータやＰＤメータ等のデータ入力装置２１２で測定した瞳孔間距離ＰＤやハーフ瞳孔間距ＬＨＰＤ，ＲＨＰＤ離等のデータが入力されるようになっている。
【０１２４】
また、演算制御回路２１２は、鼻当支持部材２０９が左右方向に移動したとき、測定光軸Ｏから鼻当支持部材２０９の移動方向の中心Ｏ１までの距離ａを移動量測定装置２１０からの移動量検出信号に基づいて求めるようになっている。
【０１２５】
更に、演算制御回路２１２は、データ入力装置２１２で測定した瞳孔間距離ＰＤやハーフ瞳孔間距ＬＨＰＤ，ＲＨＰＤ離等のデータが入力されると、図３３に示したようにハーフ瞳孔間距ＬＨＰＤ，ＲＨＰＤに基づいて測定位置を示すマークＭ１，Ｍ２を液晶表示器２０３の画面２０３ａに表示させると共に、鼻当支持部材２０９の移動方向の中心Ｏ１を示すカーソルＣＳを液晶表示器２０３の画面２０３ａに表示させるようになっている。
【０１２６】
このカーソルＣＳは、画面２０３ａ上で鼻当支持部材２０９の移動方向とは逆方向に移動するようになっている。従って、メガネ２１３の鼻当２１４，２１４を図３０の如く鼻当支持部材２０９に当接させて、メガネ２１３を左右方向に鼻当支持部材２０９と一体に移動させると、カーソルＣＳは画面２０３ａ上でメガネ２１３の移動方向とは逆方向に移動する。
【０１２７】
そして、演算制御回路２１１は、カーソルＣＳが二点鎖線で示したマークＭ１，Ｍ２の中心Ｏ２，Ｏ３に一致したときのメガネ２１３の眼鏡レンズＬＬ，ＲＬの屈折特性をメモリ２１３に記憶させて、液晶表示器２０３に表示させるようになっている。
【０１２８】
以上説明したように、この発明の実施の形態のレンズメータは、装置本体（１，２００）に設けられた投影光学系（１０Ｌ，１０Ｒ）及び受光光学系（１１Ｌ，１１Ｒ）を備える測定光学系（９Ｌ，９Ｒ）と、前記投影光学系（１０Ｌ，１０Ｒ）から前記投影光学系（１０Ｌ，１０Ｒ）と測定光学系（１１Ｌ，１１Ｒ）との間に配設されたレンズ受（１７ａ，２８ａ、２０４）と、前記レンズ受（１７ａ，２８ａ、２０４）に当接支持される眼鏡レンズ（ＬＬ，ＲＬ）に対して投影され且つ前記眼鏡レンズ（ＬＬ，ＲＬ）を透過して前記受光光学系（１１Ｌ，１１Ｒ）により導かれる測定光束を受光する受光センサ（ＣＣＤ２４）と、前記受光センサ（ＣＣＤ２４）から出力される測定信号から前記眼鏡レンズ（ＬＬ，ＲＬ）の屈折特性を求める演算制御回路（８０，２１１）を備えている。しかも、前記眼鏡レンズ（ＬＬ，ＲＬ）を有するメガネの装用者の鼻の中心から左右の瞳孔中心までのハーフ瞳孔間距離（ＬＨＰＤ，ＲＨＰＤ）を入力する入力手段（スイッチ１０２，１０３，１０４、レフラクトメータ、ＰＤメータ、データ入力手段２１２）を有すると共に、前記演算制御回路（８０，２１１）は前記ハーフ瞳孔間距離（ＬＨＰＤ，ＲＨＰＤ）に基づいて前記眼鏡レンズ（ＬＬ，ＲＬ）の前記瞳孔中心に対応する位置の屈折特性を求めるようになっている。
【０１２９】
この構成によれば、メガネ装用者の瞳孔中心に一致する位置で眼鏡レンズの屈折特性を正確に測定できる。
【０１３０】
また、この発明の実施の形態のレンズメータの前記入力手段（スイッチ１０２，１０３，１０４）は、前記装置本体（１、２００）に設けられている。
【０１３１】
この構成によれば、レフラクトメータ、ＰＤメータで測定した前記ハーフ瞳孔間距離（ＬＨＰＤ，ＲＨＰＤ）を前記入力手段（スイッチ１０２，１０３，１０４）で手入力できる。
【０１３２】
更に、この発明の実施の形態のレンズメータの前記入力手段は、前記装置本体（１，２００）とは別体に設けられて前記演算制御回路（８０，２１１）に測定したメガネ装用者の瞳孔間距離（ＬＨＰＤ，ＲＨＰＤ）を入力可能（送信可能又は転送可能）な外部の瞳孔間距離測定手段（レフラクトメータ、ＰＤメータ、データ入力手段２１２）としている。
【０１３３】
この構成によれば、瞳孔間距離測定手段（レフラクトメータ、ＰＤメータ、データ入力手段２１２）で測定された瞳孔間距離（ＬＨＰＤ，ＲＨＰＤ）を送信又は転送により前記演算制御回路（８０，２１１）に自動的に入力できるので、瞳孔間距離（ＬＨＰＤ，ＲＨＰＤ）を前記演算制御回路（８０，２１１）に手入力により入力する必要がない。
【０１３４】
また、この発明の実施の形態のレンズメータにおいて、前記レンズ受は前記測定光学系の測定光軸（Ｏ）が中心に配設された筒状レンズ受（２０４）としている。しかも、レンズメータには、前記筒状レンズ受（２０４）に当接支持させられるメガネの鼻当を支持して左右に移動可能な鼻当支持部材（２０９）が設けられ、前記測定光軸（０）から前記鼻当支持部材（２０９）の左右方向への移動量を検出する移動量検出手段（移動量測定装置２１０）が設けられている。そして、前記演算制御回路（２１１）は、前記移動量検出手段（移動量測定装置２１０）の移動量検出信号に基づく前記鼻当支持部材（２０９）の移動量が前記ハーフ瞳孔間距離（ＬＨＰＤ，ＲＨＰＤ）に一致したときに、この一致したことを表示手段（液晶表示器２０３）に表示するようになっている。
【０１３５】
この構成によれば、前記鼻当支持部材（２０９）の移動量が前記ハーフ瞳孔間距離（ＬＨＰＤ，ＲＨＰＤ）に一致したことを、表示手段（液晶表示器２０３）の表示から知ることができるので、測定作業を簡易且つ迅速に行うことができる。
【０１３６】
また、この発明の実施の形態のレンズメータにおいて、前記レンズ受は前記測定光学系の測定光軸が中心に配設された筒状レンズ受（２０４）としている。また、このレンズメータには、前記筒状レンズ受（２０４）に当接支持させられるメガネの鼻当を支持して左右に移動可能な鼻当支持部材（２０９）が設けられ、前記測定光軸から前記鼻当支持部材（２０９）の左右方向への移動量を検出する移動量検出手段（移動量測定装置２１０）が設けられ、前記鼻当支持部材（２０９）は駆動手段で左右に駆動可能に設けられている。しかも、前記演算制御回路（２１１）は、前記ハーフ瞳孔間距離（ＬＨＰＤ，ＲＨＰＤ）に基づいて前記駆動手段を作動制御して、前記鼻当支持部材（２０９）を前記測定光軸（Ｏ）から前記ハーフ瞳孔間距離（ＬＨＰＤ，ＲＨＰＤ）だけ移動させて前記眼鏡レンズ（ＬＬ，ＲＬ）の屈折特性を測定するようにできる。
【０１３７】
このような構成によれば、メガネ装用者の瞳孔中心に一致する位置で眼鏡レンズ（ＬＬ，ＲＬ）の屈折特性を正確に自動的に測定できる。
【０１３８】
ここで、鼻当支持部材２０９にメガネを水平に安定保持する保持手段を設けて、鼻当支持部材２０９を駆動モータで左右に駆動可能に設けることができる。
【０１３９】
また、メガネを安定して支持する構成としては、例えば特開昭６３−１１３４１９号公報に開示されたような構成を採用できる。この場合、図２９のレンズテーブル２０６に取り付けられている鼻当支持部材２０９を取り除くと共に、レンズテーブル２０６を前後方向（Ｙ軸方向）にＹ駆動モータで進退駆動可能に設ける。また、メガネの左右のレンズ枠又は眼鏡レンズをそれぞれ支持する一対の支持アーム（ハンド）が設けられた移動プレート（ハンド開閉部）を設けて、この移動プレートをレンズテーブル（Ｘ軸送機構）２０６に左右方向（Ｘ軸方向）に移動可能に取り付けると共に、移動プレートを左右方向（Ｘ軸方向）にＸ駆動モータで進退駆動可能に設ける。この移動プレートには上述した鼻当支持部材２０９を左右動可能に取り付ける。しかも、レンズテーブル２０６に対する移動プレートの左右方向への移動量を求めるプレート移動量検出手段を設け、移動プレートに対する鼻当支持部材の左右方向への移動量を検出する鼻当移動用検出手段を設ける。そして、プレート移動量検出手段から出力されるプレート移動量検出信号と鼻当移動用検出手段から出力される鼻当移動量検出信号を演算制御回路２１１に入力して、プレート移動量検出信号及び鼻当移動量検出信号から、測定光軸Ｏから鼻当支持部材までの左右方向への移動量を演算制御回路２１１に求めさせるようにすると良い。尚、演算制御回路２１１は、Ｘ駆動モータ及びＹ駆動モータを前記ハーフ瞳孔間距離（ＬＨＰＤ，ＲＨＰＤ）に基づいて駆動制御させることにより、前記鼻当支持部材（２０９）を前記測定光軸（Ｏ）から前記ハーフ瞳孔間距離（ＬＨＰＤ，ＲＨＰＤ）だけ移動させて前記眼鏡レンズ（ＬＬ，ＲＬ）の屈折特性を測定するようにできる。
【０１４０】
また、この発明の実施の形態のレンズメータにおいて、前記演算制御回路（８０、２１１）は、累進屈折レンズを測定する際に、前記眼鏡レンズ（ＬＬ，ＲＬ）の遠用部の屈折特性を前記ハーフ瞳孔間距離（ＬＨＰＤ，ＲＨＰＤ）に一致する位置で求めるようになっている。
【０１４１】
この構成によれば、メガネ装用者の瞳孔中心に一致する位置で眼鏡レンズ（ＬＬ，ＲＬ）の遠用部の屈折特性を正確に測定できる。
【０１４２】
尚、累進屈折レンズを測定する際に、測定モードを累進屈折レンズの測定モードにすることにより、累進部を演算制御回路（８０、２１１）により検知して、累進部の加入度数ＡＤＤを演算制御回路（８０、２１１）により求めるようにすると共に、この加入度数ＡＤＤの変化から遠用部の範囲を演算制御回路（８０、２１１）により検知して、前記ハーフ瞳孔間距離（ＬＨＰＤ，ＲＨＰＤ）の位置で眼鏡レンズ（ＬＬ，ＲＬ）の遠用部の屈折特性を演算制御回路（８０、２１１）により求めることができるようにすると良い。
【０１４３】
また、この発明の実施の形態のレンズメータには、前記測定光束を広範囲に分布する複数の測定光束にする光束分割手段（パターン板１７，２８）が設けられている。しかも、前記演算制御回路（８０）は、前記複数の測定光束に基づいて前記眼鏡レンズ（ＬＬ，ＲＬ）の複数箇所の屈折特性を測定して屈折力分布状態を求め、この屈折力分布状態及び前記ハーフ瞳孔間距離（ＬＨＰＤ，ＲＨＰＤ）に基づいて前記眼鏡レンズ（ＬＬ，ＲＬ）の前記瞳孔中心に対応する位置の屈折特性を求めるようになっている。尚、光束分割手段（パターン板１７，２８）は、投影光学系（１０Ｌ，１０Ｒ）に設けることもできるし、上述したように受光光学系（１１Ｌ，１１Ｒ）に設けることもできる。
【０１４４】
この構成によれば、光束分割手段（パターン板１７，２８）で分割した複数の測定光束を眼鏡レンズ（ＬＬ，ＲＬ）の広範囲の部分に投影するか、或いは眼鏡レンズ（ＬＬ，ＲＬ）の広範囲の部分を透過した測定光束を光束分割手段（パターン板１７，２８）で複数の測定光束に分割して、眼鏡レンズ（ＬＬ，ＲＬ）の複数箇所の屈折特性を求めることにより、眼鏡レンズ（ＬＬ，ＲＬ）の屈折力分布状態を求めることができる。
【０１４５】
しかも、眼鏡レンズ（ＬＬ，ＲＬ）の屈折力分布状態から眼鏡レンズ（ＬＬ，ＲＬ）の屈折特性のマッピングを行うことができる。そして、この眼鏡レンズ（ＬＬ，ＲＬ）の屈折力分布状態と前記ハーフ瞳孔間距離（ＬＨＰＤ，ＲＨＰＤ）からメガネ装用者の瞳孔中心に一致する位置で眼鏡レンズ（ＬＬ，ＲＬ）の屈折特性を正確に測定できる。
【０１４６】
また、眼鏡レンズ（ＬＬ，ＲＬ）の屈折力分布状態を記録媒体（メモリ、ハードデスク、磁気デスク、光磁気デスク等）に記憶又は記録させておくことで、眼鏡レンズ（ＬＬ，ＲＬ）の屈折特性のマッピングした後に前記ハーフ瞳孔間距離（ＬＨＰＤ，ＲＨＰＤ）を入力しても、この入力した前記ハーフ瞳孔間距離（ＬＨＰＤ，ＲＨＰＤ）及び屈折力分布状態のデータに基づいてメガネ装用者の瞳孔中心に一致する位置で眼鏡レンズ（ＬＬ，ＲＬ）の屈折特性を正確に測定できる。
【０１４７】
また、この発明の実施の形態のレンズメータの前記演算制御回路（８０）は、累進屈折レンズを測定する際に、前記眼鏡レンズ（ＬＬ，ＲＬ）の遠用部の屈折特性を前記ハーフ瞳孔間距離（ＬＨＰＤ，ＲＨＰＤ）の位置で求めるようになっている。
【０１４８】
この構成によれば、眼鏡レンズ（ＬＬ，ＲＬ）の屈折力分布状態と前記ハーフ瞳孔間距離（ＬＨＰＤ，ＲＨＰＤ）から眼鏡レンズ（ＬＬ，ＲＬ）の遠用部の屈折特性をメガネ装用者の瞳孔中心に一致する位置で正確に測定できる。
【図面の簡単な説明】
【０１４９】
【図１】今発明に係るレンズメータの正面図である。
【図２】図１のレンズメータの右側面図である。
【図３】図１のレンズメータの平面図である。
【図４】図１のＡ１−Ａ１線に沿う断面図である。
【図５】図１〜図４に示したレンズメータの光学系及び制御回路の説明図である。
【図６】図２〜図４に示した連設筐体の後部側を外して、一部を断面して示したレンズメータの側面図である。
【図７】図６のレンズメータの連設筐体の前壁を背面側から見た説明図である。
【図８】図９のＡ２−Ａ２に沿うフレーム保持機構の説明の為の断面図である。
【図９】図１のレンズメータを矢印Ａ３方向から見た平面図である。
【図１０】図９のＡ４−Ａ４線に沿う断面図である。
【図１１】図８のＡ５−Ａ５線に沿う断面図である。
【図１２】図８のＡ６−Ａ６線に沿う断面図である。
【図１３】図８，図１１，図１２の１対のリンク板の一方の説明図である。
【図１４】図８，図１１，図１２の１対のリンク板の他方の説明図である。
【図１５】レバー押し下げ及び遮光カバーのための送りネジ等の説明用の部分斜視図である。
【図１６】図１５のＣ−Ｃ線に沿う断面図である。
【図１７】図１６のＢ１−Ｂ１線に沿う断面図である。
【図１８】（Ａ）は遮光カバーとスライダとの関係を示す概略平面図、（Ｂ）は（Ａ）のＢ２−Ｂ２線に沿う断面図、（Ｃ）は（Ａ）のＢ３−Ｂ３線に沿う断面図、（Ｄ）は（Ａ）のＢ４−Ｂ４線に沿う断面図である。
【図１９】（ａ）はメガネをメガネ配設空間に配設してフレームサポートに支持させたレンズメータの正面図、（ｂ）は（ａ）の右側面図である。
【図２０】（ａ）は図１９の眼鏡レンズをレンズ押さえ部材で押さえた状態のレンズメータの正面図、（ｂ）は（ａ）の右側面図である。
【図２１】（ａ）は図２０のレンズ押さえ部材を測定光路から退避させた状態のレンズメータの正面図、（ｂ）は（ａ）の右側面図である。
【図２２】（Ａ）〜（Ｃ）はフレームサポートの作用説明図である。
【図２３】（ａ）〜（ｇ）はフレーム保持部材及びレンズ押さえ部材の作用説明図である。
【図２４】レンズメータの液晶表示器の表示例を示した説明図である。
【図２５】図２４の液晶表示器の表示モードを切り替えたときの説明図である。
【図２６】メガネ装用者のハーフ瞳孔間距離を入力する画面の説明図である。
【図２７】メガネ装用者のハーフ瞳孔間距離を入力する画面の説明図である。
【図２８】メガネ装用者のハーフ瞳孔間距離を入力する画面の説明図である。
【図２９】この発明の実施の形態の変形例を示すレンズメータの斜視図である。
【図３０】図２９のレンズメータの使用状態を示す部分拡大斜視図である。
【図３１】図２９のレンズメータの制御回路図である。
【図３２】図２９のレンズメータの作用説明図である。
【図３３】図２９のレンズメータの表示装置への表示例を示す説明図である。
【符号の説明】
【０１５０】
１…装置本体
９Ｌ，９Ｒ…測定光学系
１０Ｌ，１０Ｒ…投影光学系
１１Ｌ，１１Ｒ…受光光学系
１７…パターン板（光束分割手段）
１７ａ…レンズ受
２８…パターン板（光束分割手段）
２８ａ…レンズ受
２４…ＣＣＤ（受光センサ）
８０…演算制御回路
１０２…モード切替スイッチ（入力手段）
１０３…スイッチ（入力手段）
１０４…プリントスイッチ（入力手段）
２１２…データ入力手段（入力手段）
２００…装置本体
２０３…液晶表示器（表示手段）
２０４…筒状レンズ受（レンズ受）
２０９…鼻当支持部材
２１０…移動量測定装置（移動量検出手段）
２１１…演算制御回路
Ｏ…測定光軸
ＬＬ，ＲＬ…眼鏡レンズ
【図１】
2005214701.tif 000003
【図２】
2005214701.tif 000004
【図３】
2005214701.tif 000005
【図４】
2005214701.tif 000006
【図５】
2005214701.tif 000007
【図６】
2005214701.tif 000008
【図７】
2005214701.tif 000009
【図８】
2005214701.tif 000010
【図９】
2005214701.tif 000011
【図１０】
2005214701.tif 000012
【図１１】
2005214701.tif 000013
【図１２】
2005214701.tif 000014
【図１３】
2005214701.tif 000015
【図１４】
2005214701.tif 000016
【図１５】
2005214701.tif 000017
【図１６】
2005214701.tif 000018
【図１７】
2005214701.tif 000019
【図１８】
2005214701.tif 000020
【図１９】
2005214701.tif 000021
【図２０】
2005214701.tif 000022
【図２１】
2005214701.tif 000023
【図２２】
2005214701.tif 000024
【図２３】
2005214701.tif 000025
【図２４】
2005214701.tif 000026
【図２５】
2005214701.tif 000027
【図２６】
2005214701.tif 000028
【図２７】
2005214701.tif 000029
【図２８】
2005214701.tif 000030
【図２９】
2005214701.tif 000031
【図３０】
2005214701.tif 000032
【図３１】
2005214701.tif 000033
【図３２】
2005214701.tif 000034
【図３３】
2005214701.tif 000035